(57)【要約】【課題】環境負荷を低減してエコに供することができるのみならず、載置された状態での（片手での）押圧操作が可能で操作性に優れており、充填された液状の残量が少なくなった場合でも、良好な操作性が保持される実用的なポンプディスペンサー付きの液体収納袋を提供する。【解決手段】液体収納袋Ｐ１は、合成樹脂製のガゼット袋である袋本体１ａ、注出部材であるスパウト１１、そのスパウト１１に取り付けられた筒状体４１、および、スパウト１１に着脱自在に装着されるポンプディスペンサー３１によって構成されている。そして、スパウト１１に取り付けられた筒状体４１が、ポンプディスペンサー３１の吸引パイプ３４を収納した（外周を覆った）状態になっている。【選択図】図１
2018020840.tif 000002
【特許請求の範囲】
【請求項１】
合成樹脂製の袋本体の上部に、袋本体内に充填された内容物を吸引パイプから吸い上げて排出するためのポンプディスペンサーが着脱自在に装着される液体収納袋であって、
袋本体の上部に、注出孔を設けた注出部材が固着されているとともに、
ポンプディスペンサーの吸引パイプを収納可能な筒状体が、注出部材の注出孔を挿通した状態で鉛直下向きに設けられていることを特徴とする液体収納袋。
【請求項２】
袋本体が、左右両サイドに折り込み部を設けたガゼット袋であることを特徴とする請求項１に記載の液体収納袋。
【請求項３】
筒状体の上端際に、注出部材と係合可能な係合部が設けられていることを特徴とする請求項１、または請求項２に記載の液体収納袋。
【発明の詳細な説明】
【技術分野】
【０００１】
本発明は、シャンプー、ボディソープ、化粧品、洗剤等の各種の液体（ゲル状物を含む）を収納するための収納袋（包装袋）に関するものである。
【背景技術】
【０００２】
従来、シャンプー、リンス、ボディーソープ、化粧品、洗剤等の液体は、所定の使用量を得るための押圧操作可能なポンプディスペンサーを取り付けた合成樹脂製のボトル状容器に充填された状態で提供されている。また、近年では、環境負荷の低減の観点から、詰め替え用の包装袋等から同じ内容物をボトル状容器に再充填してボトル状容器をリユースする一方、詰め替え後の包装袋等は、折り畳まれたり圧縮されたりして減容して廃棄されている。
【０００３】
ところが、上記の如くリユース可能なボトル状容器は、ポンプディスペンサーの押圧操作の繰り返しに耐え得るように肉厚に形成することが不可欠であるため、安価に製造することが難しい。また、何回かリユースした後のボトル状容器を廃棄する場合には、肉厚なボトル状容器を減容して廃棄することが困難である。そのため、特許文献１の如く、合成樹脂製の包装袋の上端際にポンプディスペンサーを取り付けるとともに、そのポンプディスペンサーに使用者の指を掛けるための支持手段を付設した液体収納袋が案出されている。このポンプディスペンサー付きの液体収納袋によれば、使用者は、ポンプディスペンサーの支持手段に指を掛けて押圧手段を操作することによって、包装袋に充填された液体を所定量ずつ吐出させることができる。
【先行技術文献】
【特許文献】
【０００４】
【特許文献１】特開２００２−３４７８６７号公報
【発明の概要】
【発明が解決しようとする課題】
【０００５】
しかしながら、特許文献１の如きポンプ付きの液体収納袋は、充填された液体を吐出させる際に、ポンプディスペンサーを複数の指で支持しながら別の指でポンプディスペンサーの押圧操作を行う必要があるため、載置された状態での押圧操作が可能な従来のボトル状容器に比べて著しく操作性に劣る。また、充填された液状の残量が少なくなると、自立性を保持できなくなるため転倒し易い、という不具合もある。
【０００６】
本発明の目的は、上記特許文献１の如き従来のポンプディスペンサー付きの液体収納袋の問題点を解消し、環境負荷を低減してエコに供することができるのみならず、載置された状態での（片手での）押圧操作が可能で操作性に優れており、充填された液状の残量が少なくなった場合でも、良好な操作性が保持される実用的なポンプディスペンサー付きの液体収納袋を提供することにある。
【課題を解決するための手段】
【０００７】
本発明の内、請求項１に記載された発明は、合成樹脂製の袋本体の上部に、袋本体内に充填された内容物を吸引パイプから吸い上げて排出するためのポンプディスペンサーが着脱自在に装着される液体収納袋であって、袋本体の上部に、注出孔（注出あるいは抽出するための孔）を設けた注出部材（注出あるいは抽出するための部材）が固着されているとともに、ポンプディスペンサーの吸引パイプを収納可能な（吸引パイプの外周を覆う）筒状体が、注出部材の注出孔を挿通した状態で鉛直下向きに設けられていることを特徴とするものである。
【０００８】
請求項２に記載された発明は、請求項１に記載された発明において、袋本体が、左右両サイドに折り込み部を設けたガゼット袋であることを特徴とするものである。
【０００９】
請求項３に記載された発明は、請求項１、または請求項２に記載された発明において、筒状体の上端際に、注出部材と係合可能な係合部が設けられていることを特徴とするものである。
【発明の効果】
【００１０】
請求項１に記載の液体収納袋は、ポンプディスペンサーの吸引パイプを収納可能な筒状体が鉛直状に設けられており、液体を充填して載置させた状態で、ポンプディスペンサーのヘッド部分を押圧操作した場合に、筒状体がその形態を保持して上からの圧力に対する支えとなるため、ポンプディスペンサーや袋本体を支持することなく、充填された液体を吐出させることができるので、操作性に優れている。また、ポンプディスペンサーのヘッド部分を押圧操作する際に、ポンプディスペンサーの吸引パイプが折れ曲がったりしないので、ポンプディスペンサーを長期間に亘って繰り返して使用することができる。さらに、請求項１に記載の液体収納袋は、ポンプディスペンサーの押圧操作の際に、その押圧操作の圧力を、ポンプディスペンサーの吸引パイプより大径の筒状体の先端面および袋本体の底面の当接部分の広い面積で受け止めるため（すなわち、押圧操作の圧力が筒状体の先端面の一部から袋本体の底面の当接部分に伝わる事態が起こりにくいため）、袋本体が破れにくい。したがって、請求項１に記載の液体収納袋によれば、肉厚のボトル状容器を用いることなくポンプディスペンサーの繰り返し使用が可能となるため、環境負荷を低減し、エコに供することができる上、従来のボトル状容器の廃棄の際には困難であった減容化が可能となる。
【００１１】
請求項２に記載の液体収納袋は、袋本体が左右両サイドに折り込み部を設けたガゼット袋であるため、袋本体に充填された液体が残り少なくなった場合でも、袋本体が安定して起立した状態を保つので、ポンプディスペンサーの押圧操作が行いにくくなったりしない。
【００１２】
請求項３に記載の液体収納袋は、筒状体の上端際に注出部材と係合可能な係合部が設けられているため、使用中に（ポンプディスペンサーの押圧操作の際に）、筒状体が注出部材から袋本体の内部へ抜け落ちてしまう事態が生じにくい。
【図面の簡単な説明】
【００１３】
【図１】実施例１の液体収納袋を示す説明図（正面図）である。
【図２】実施例１の液体収納袋を示す説明図（内容物を充填した状態の斜視図）である。
【図３】実施例１の液体収納袋を示す説明図（ポンプディスペンサーを袋本体から取り外した状態の正面図）である。
【図４】実施例１の液体収納袋の袋本体を示す説明図（筒状体を分離した状態の正面図）である。
【図５】実施例１の液体収納袋の袋本体を示す説明図である（ａは図４におけるＡ−Ａ線端面図であり、ｂは図４におけるＢ−Ｂ線端面図である）。
【図６】実施例１の液体収納袋の袋本体の一部を示す説明図である（ａは左上部の拡大図であり、ｂはａにおけるＣ−Ｃ線端面図である）。
【図７】実施例１の液体収納袋のスパウトおよび筒状体を示す説明図である（ａはスパウトの正面図であり、ｂはスパウトの底面図でありｃはスパウトの側面図であり、ｄは筒状体の正面図であり、ｅは筒状体の平面図である）。
【図８】実施例２の液体収納袋を示す説明図である（ａは正面図であり、ｂはａにおけるＤ−Ｄ線端面図である）。
【図９】実施例２の液体収納袋を示す説明図（内容物を充填した状態の斜視図）である。
【図１０】実施例２の液体収納袋の袋本体を形成するための左右の折り込み材および底部の折り込み材を示す説明図である（ａは正面図であり、ｂは左側の折り込み材の下端際の左側面の端面図（すなわち、ａにおける矢印Ｅ方向の矢視図）であり、ｃは左側の折り込み材と底部の折り込み材とを分離した状態の斜視図である）。
【図１１】実施例３の液体収納袋を示す説明図（正面図）である。
【図１２】実施例３の液体収納袋の袋本体を示す説明図である（ａは正面図であり、ｂはａにおけるＨ−Ｈ線端面図であり、ｃはａにおけるＩ−Ｉ線端面図である）。
【図１３】実施例３の液体収納袋の袋本体を形成するための左右の折り込み材および底部の折り込み材を示す説明図である（ａは正面図であり、ｂはａにおける破線部分の左側面図であり、ｃは左側の折り込み材の下端際の左側面の端面図（すなわち、ａにおける矢印Ｇ方向の矢視図）であり、ｄは左側の折り込み材と底部の折り込み材とを分離した状態の斜視図である）。
【図１４】実施例４の液体収納袋を示す説明図である（ａは正面図であり、ｂはａにおけるＲ−Ｒ線端面図である）。
【図１５】実施例４の液体収納袋の袋本体を示す説明図（正面図）である。
【図１６】実施例４の液体収納袋の袋本体を示す説明図である（ａは図１５におけるＫ−Ｋ線端面図であり、ｂは図１５におけるＬ−Ｌ線端面図であり、ｃはｂにおける破線部分の拡大図であり、ｄは図１５におけるＭ−Ｍ線端面図であり、ｅは図１５におけるＪ−Ｊ線端面図である）。
【図１７】実施例５の液体収納袋を示す説明図（正面図）である。
【図１８】実施例５の液体収納袋の袋本体を示す説明図である（ａは正面図であり、ｂは右側面図であり、ｃは平面図である）。
【図１９】実施例５の液体収納袋の袋本体を示す説明図（内容物を充填した状態の斜視図）である。
【図２０】実施例５の液体収納袋のスパウトを示す説明図（斜視図）である。
【図２１】袋本体の変更例（底部に折り込み部を設けたパウチ）を示す説明図である（ａは正面図であり、ｂはａにおけるＮ−Ｎ線端面図である）。
【図２２】袋本体の変更例（左右に折り込み部を設け、底部に傾斜シール部を設けたガゼット袋）を示す説明図（正面図）である。
【図２３】袋本体の変更例（左右に折り込み部を設け、底部に傾斜シール部を設けて、左右の折り込み材の上端際を帯状部材によって胴材に固着させたガゼット袋）を示す説明図である。
【図２４】袋本体の変更例（左右および底部に折り込み部を設け、左右の折り込み材の上端際を帯状部材によって胴材に固着させたガゼット袋）を示す説明図である。
【図２５】袋本体の変更例（左右に折り込み部を設け、底部に傾斜シール部を設けて、左右の折り込み材の上端際を帯状部材によって胴材に固着させたガゼット袋）を示す説明図である。
【図２６】筒状体の変更例を示す説明図である（ａは筒状体の正面図であり、ｂは筒状体の平面図であり、ｃはスパウトに取り付けられた筒状体の上部を鉛直に切断した状態を示す端面図である）。
【発明を実施するための形態】
【００１４】
以下、本発明に係る液体収納袋の一実施形態について詳細に説明する。本発明に係る液体収納袋は、合成樹脂製の袋本体の上部に、袋本体内に充填された内容物を吸引パイプから吸い上げて排出するためのポンプディスペンサーが着脱自在に装着されているとともに、袋本体の上部に、注出孔を設けた注出部材が固着されており、かつ、ポンプディスペンサーの吸引パイプを収納可能な（吸引パイプの外周を覆う）筒状体が、その注出部材の注出孔を挿通した状態で鉛直下向きに設けられたものである。袋本体は、合成樹脂製シートによって形成されたものであることが必要である。ここでいう合成樹脂製シートとは、食品、薬品、化粧品、洗剤等の包装材料として用いられる合成樹脂フィルムを積層した積層フィルム、あるいは合成樹脂フィルムと紙やアルミ箔等とを積層した積層フィルム等のことである。袋本体に用いられる合成樹脂製シートは、少なくとも片面（内面）が熱接着性を有している必要がある。
【００１５】
そのような合成樹脂製シートとしては、ポリエステルフィルム、ナイロンフィルム、ポリプロピレンフィルム等のベースフィルムに、ポリエチレンフィルム、ポリプロピレンフィルム等の熱接着性フィルムを積層したラミネートフィルム等を好適に用いることができる。また、そのようなラミネートフィルムの中間にポリエステルフィルムやナイロンフィルム等を挟み込んだ３層以上のラミネートフィルムも好適に用いることができる。
【００１６】
なお、ベースフィルムや中間層を形成するフィルムは、未延伸のものを用いることも可能であるし、一軸延伸あるいは二軸延伸したものを用いることも可能である。また、ベースフィルムと熱接着性フィルムとの界面、ベースフィルムと中間層を形成するフィルムとの界面、中間層を形成するフィルムと熱接着性フィルムとの界面には、必要に応じて、金属箔層や金属蒸着層を設けることも可能である。一方、合成樹脂製シートの厚みは、特に限定されないが、内容物に対する保存性能や耐破袋強度等の面から、４０〜２５０μｍであると好ましく、９０〜１８０μｍであるとより好ましい。
【００１７】
袋本体は、上記した合成樹脂製シートを、所定の態様で積層し、その積層体の上部（頭部）、下部（底部）および側部をヒートシールして袋状にする（すなわち、内容物の充填部を形成する）とともに、その袋状に形成した部分の上部に、内容物を注出（あるいは抽出）するための注出部材（スパウト等）を固着（融着）させることによって製造される。また、かかる注出部材は、ポンプディスペンサーを装着可能であることが必要である。
【００１８】
各ヒートシール（側方シール部、底シール部、頭シール部等）および裁断は、製袋機を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂製シートを用いる場合には、１７０〜２１０℃の範囲内にするのが好ましい。
【００１９】
また、袋本体は、正面視で概ね矩形に形成されるが、その大きさは特に限定されず、高さ、幅ともに概ね５０〜３５０ｍｍの範囲内で、必要に応じて調整することができる。また、袋本体の形状は、特に限定されず、表裏２枚の胴材の底部等に二つ折りした折り込み材を挟み込んだスタンディングパウチや、表裏２枚の胴材の左右または上下に二つ折りした折り込み材を挟み込んだガゼット袋等の種々のものを、袋本体として好適に用いることができる。さらに、袋本体としてガゼット袋を用いる場合には、当該ガゼット袋の折り込み部（内向きに二つ折りにした折り込み材を挟み込んだ部分、所謂、マチ）の幅（二つ折り部分の幅）は、特に限定されず、１０〜７５ｍｍの範囲内で必要に応じて調整することができる。
【００２０】
加えて、袋本体として表裏２枚の胴材の左右に二つ折りした折り込み材を挟み込んだガゼット袋を用いる場合には、当該ガゼット袋を、側方シール部（鉛直なヒートシール部）の付近を、幅方向の中央側から外側へかけて次第に幅狭になるように（上下方向において幅狭になるように）傾斜状にヒートシールしたものとすると、その傾斜状のヒートシール部分の内側（幅方向における内側）の端縁際で、表裏の胴材が屈曲して側面を形成し、直方体状になりやすいため、非常に安定した状態で起立させることが可能となるので好ましい。なお、そのように側方シール部の付近を幅方向の中央側から外側へかけて次第に幅狭になるように傾斜状にヒートシールする方法としては、頭シール部、底シール部と左右の側方シール部とに跨がるように、傾斜した帯状のヒートシール部を設ける方法や、頭シール部および底シール部の側方シール部付近の部分を、中央側から上下端縁側にかけて次第に幅広になるように形成する方法等を用いることができる。
【００２１】
また、本発明に係る液体収納袋は、上記した袋本体の上部に注出部材であるスパウト等を固着（融着）させることによって製造されるが、当該スパウトとしては、硬質あるいは軟質の合成樹脂によって形成されたもの等を好適に用いることができる。また、スパウトは、ガゼット袋の熱接着性フィルムと熱接着（融着）できることが必要であり、そのようなスパウトの材質としては、ポリプロピレン、ポリエチレン（中密度ポリエチレンや高密度ポリエチレン等）、ポリエステル等の熱接着性の合成樹脂を挙げることができる。また、袋本体が上部に折り込み部を有さないガゼット袋やパウチ等である場合には、スパウトとしては、合成樹脂製シートと融着させるための融着面を鉛直状に設けたものを用いるのが好ましく、袋本体が上部に折り込み部を有するガゼット袋やパウチ等である場合には、スパウトとしては、合成樹脂製シートと融着させるための融着面を水平状に設けたものを用いるのが好ましい。
【００２２】
また、本発明に係る液体収納袋には、ポンプディスペンサーの吸引パイプを収納可能な合成樹脂製の筒状体が、スパウト等の注出部材の注出孔を挿通した状態で鉛直下向きに設けられていることが必要である。かかる筒状体は、ポンプディスペンサーのヘッド部分が押圧される際に、ポンプディスペンサーの吸引パイプを覆った状態で、先端が袋本体の底面に当着して、上からの圧力に抗する支えとして機能するものであるため、ポンプディスペンサーのヘッド部分への圧力に屈しない程度（圧力が加わっても変形しない程度）の強度を有していることが必要である。そのような筒状体としては、全部あるいは一部がポリプロピレン、ポリエチレン（中密度ポリエチレンや高密度ポリエチレン等）等のポリオレフィン、塩化ビニル、ポリ乳酸、ポリエステル等の合成樹脂（筒状に形成可能な合成樹脂）によって形成されたものを好適に用いることができる。また、ゴムやシリコーン等の素材を用いて筒状体を形成し、筒状体に弾性や柔軟性を持たせることも可能である。加えて、筒状体をスパウト等の注出孔に挿通させた状態で鉛直下向きに取り付ける（固定させる）ための方法としては、合成樹脂製の筒状体の基端の外径をスパウト等の注出孔の内径と同一あるいはそれ以上（すなわち、内径〜内径＋約０．５ｍｍ）に設計し、当該筒状体をスパウト等の注出孔内に加圧しながら押し込むこと等によって、筒状体の外周とスパウトの注出孔の内周との間の摩擦力を利用して筒状体を取り付ける方法等を好適に用いることができる。加えて、筒状体の長さは、特に限定されず、必要に応じて適宜変更可能であるが、袋本体に内容物を充填させて起立させたときの袋本体の底面（中心部分）からスパウトの上端までの高さをＴとした場合に、筒状体の長さＬが、「Ｔ−スパウトの注出孔の長さ」以上「Ｔ」以下となるように調整すると、使用中に筒状体が袋本体の内部に入り込んでしまう事態が起こらず、ポンプディスペンサーのヘッド部分の押圧操作をスムーズに実施することが可能となるので好ましい。
【実施例】
【００２３】
［実施例１］
＜実施例１の液体収納袋の構成＞
以下、本発明の液体収納袋の一実施例について説明する。図１〜図３は、実施例１の液体収納袋を示したものであり、液体収納袋Ｐ１は、合成樹脂製のガゼット袋である袋本体１ａ、注出部材であるスパウト１１、そのスパウト１１に取り付けられた筒状体４１、および、スパウト１１に着脱自在に装着されるポンプディスペンサー３１によって構成されている。
【００２４】
図４は、袋本体１ａを分解して（袋本体１ａからスパウト１１を取り外して）示したものである。袋本体１ａは、厚さ１５μｍのナイロンフィルム（ベースフィルム）の上に、アルミ蒸着を施した厚さ１２μｍのポリエステルフィルム（中間層）を、アルミ蒸着面がナイロンフィルムと接合するように積層し、さらにその上に、厚さ１３０μｍの直鎖状低密度ポリエチレンフィルム（熱接着性フィルム）を積層してなる合成樹脂製シートによって形成されており、縦×横＝２９０ｍｍ×１６０ｍｍの大きさを有している。
【００２５】
また、袋本体１ａの表裏２枚の略矩形の胴材２ａ，２ｂの左右の両端縁際には，それぞれ、折り込み材３，３が、所定の幅（約５５ｍｍ幅）の二つ折りになった状態で挟み込まれている（図５参照）。なお、表裏の胴材２ａ，２ｂは、それぞれ、直鎖状低密度ポリエチレンフィルム（熱接着性フィルム）層を内側にした状態で配置されており、折り込み材３，３は、直鎖状低密度ポリエチレンフィルム層を表裏の胴材２ａ，２ｂの裏面側にした状態で配置されている。そして、袋本体１ａの胴材２ａ，２ｂと折り込み材３，３との積層部分の上には、側方シール部５，５・・が設けられており、当該側方シール部５，５・・においては、表側の胴材２ａの裏面と折り込み材３の裏面、および、裏側の胴材２ｂの裏面と折り込み材３の裏面が、それぞれ融着し合っている。
【００２６】
さらに、側方シール部５，５・・は、中間部分（上下方向の中間部分）が一定幅（約７ｍｍ）の帯状になっており、上端際および下端際の部分が次第に幅広になっている（幅広部分Ｗ１，幅広部分Ｗ２）。なお、下端際の幅広部分Ｗ２の方が上端際の幅広部分Ｗ１より幅広になっている。また、下端際の左右の幅広部分Ｗ２，Ｗ２の高さは、約４８ｍｍであり、左右の各折り込み材３，３の二つ折りになった幅（側方シール部５を差し引いた幅）と略同一になっている。加えて、幅広部分Ｗ１，Ｗ２には、それぞれ、エアー抜き部６，６が設けられている。
【００２７】
一方、袋本体１ａの下端縁際には、底シール部７が略一定の高さ（約１３ｍｍ）の帯状に形成されており、側方シール部５，５・・の下端際の幅広な部分Ｗ２，Ｗ２と重なり合っている。そして、当該底シール部７の中央の部分（側方シール部５，５・・以外の部分）においては、表側の胴材２ａの裏面と裏側の胴材２ｂの裏面とが融着し合っている。
【００２８】
また、袋本体１ａの上端縁の左右の両側には、一定幅（上下約１０ｍｍ）の補助シール部８，８が、左右の両端端から中央へ向かって突出するように設けられており、それらの先端が、側方シール部５，５・・の上端際の幅広部分Ｗ１よりも内側に位置した状態になっている。そして、それらの補助シール部８，８によって、表側の胴材２ａの裏面と折り込み材３の裏面、および、裏側の胴材２ｂの裏面と折り込み材３の裏面が、それぞれ融着し合っている。
【００２９】
さらに、底シール部７の左右両端際の部分（マチの部分）および補助シール部８，８の左右両端際の部分（マチの部分）には、それぞれ、スポット融着部１０，１０・・が設けられている。当該スポット融着部１０，１０・・においては、図６の如く、二つ折りした折り込み材３を貫通するように貫通孔４が設けられており、その貫通孔４を介して、表側の胴材２ａの裏面と裏側の胴材２ｂの裏面とが直接的に融着し合っている。
【００３０】
そして、袋本体１ａの上端縁際の略中央には、注出部材であるスパウト１１が固着（熱融着）されており、当該スパウト１１の下側に、筒状体４１が取り付けられている（固定されている）。図７（ａ）〜（ｃ）は、スパウト１１を示したものであり、スパウト１１は、合成樹脂（ポリプロピレン、ポリエチレン、ポリエステル等の熱接着性の合成樹脂）によって形成されており、内容物を注出するための略円筒状の注出部１４の下部に、袋本体１ａと融着させるための水平断面が略菱形で四層構造の接着部１５が連設されている。なお、注出部１４は、約３０ｍｍの高さを有しており、接着部１５は、約１０ｍｍの高さを有している。
【００３１】
そして、それらの注出部１４および接着部１５を貫通するように、内径約２０ｍｍの円柱状の注出孔１８が穿設されている。また、注出部１４の外面には、ポンプディスペンサーを螺着するためのネジ山が設けられている。さらに、接着部１５の左右には、薄板状の融着補助片１６，１６が突設されている。
【００３２】
一方、図７（ｄ），（ｅ）は、筒状体４１を示したものであり、筒状体４１は、合成樹脂（ポリプロピレンやポリエチレン等のポリオレフィン、塩化ビニル、ポリ乳酸、ポリエステル等の筒状に形成可能な合成樹脂）によって、外径約１７．５ｍｍ×内径約１０ｍｍで高さ約２３０ｍｍの略円筒状に一体形成されている。また、筒状体４１は、（図面には表されていないが）先端面（下端面）が断面波状に湾曲した状態になっており、下端の外周縁がＲ状に面取りされた形状になっている。当該筒状体４１は、スパウト１１の注出孔１８の内部に挿入することによって（抵抗なくスムーズに挿入することによって）、下側の部分をスパウトの下方に突出させ、かつ、基端部分を注出孔１８の内側に位置させた状態になっている（すなわち、スパウト１１には固定されていない）。
【００３３】
上記の如く構成されたスパウト１１は、筒状体４１を接着部１５から下方に突出するように取り付けた状態で、袋本体１ａの上端際の略中央の部分に固着（熱融着）されている。すなわち、スパウト１１は、胴材２ａの裏面と折り込み材３の裏面との間に接着部１５を挿入し、その接着部１５の外側に位置した胴材２ａおよび折り込み材３の上に、所定の温度に加熱した熱板（凹状の湾曲面を設けたもの）を押し付けて、接着部１５と胴材２ａの裏面および折り込み材３の裏面とを、所定の幅（約１０ｍｍ）の帯状にヒートシールすることによって、胴材２ａ，２ｂの間に固着（融着）されている。
【００３４】
また、図１〜３の如く、スパウト１１の注出部１４には、ポンプディスペンサー３１が螺着されている。当該ポンプディスペンサー３１は、シリンダー３２、シリンダー３２の内部に摺動自在に設けられたピストン３３、シリンダー３２の下方に連設された吸引パイプ３４、ピストン３３のヘッド部分を反押圧方向に付勢するためのコイルバネ３６等によって構成されている。そして、ピストン３３の上部には、ピストン３３の内部に設けられた液体の流路を通過した液体を注ぎ出すためのノズル３５が設けられている。また、シリンダー３２の上端際の部分には、スパウト１１に固定する（螺着する）ための取り付けるためのキャップ３７が設けられており、その内周面（円筒状の部分の内周面）には、スパウトの注出部１４のネジ山と螺合するネジ溝が螺刻されている。
【００３５】
＜液体収納袋の使用方法＞
上記の如く構成された液体収納袋Ｐ１は、スパウト１１の注出部１４から袋本体１ａの内部に液体（たとえば、シャンプー等）を充填させて用いられる（なお、袋本体１ａの内部への液体の充填は、スパウト１１の注出孔１８内に挿通させた筒状体４１を介して行うことも可能であるし、筒状体４１を取り外してスパウト１１の注出孔１８を介して行うことも可能である）。そして、そのように液体を充填させると、袋本体１ａにおいて、二つ折りになった折り込み材３，３の中間部分（上下の端縁際以外の部分）が拡がるとともに、側方シール部５，５・・の幅広部分Ｗ２，Ｗ２の上端際の部分において、胴材２ａおよび胴材２ｂが、折り込み材３，３とともに屈曲して横長な長方形状の底面を形成するため、袋本体１ａの下側の部分が、略直方体状（左右幅×奥行き＝約２９０ｍｍ×約１００ｍｍ）となる。そのため、液体収納袋Ｐ１は、安定した状態で起立させることができる。そして、袋本体１ａがそのように起立した状態となると、スパウト１１の注出孔１８が鉛直方向に沿った状態になるとともに、筒状体４１が、起立した状態の袋本体１ａの内部でスパウト１１の下面から下方に鉛直に突出して袋本体１ａの底面際まで至った状態となる。そのように袋本体１ａの内部に液体を充填させた後には、ポンプディスペンサー３１を、その吸引パイプ３４を筒状体４１に挿入するようにして、スパウト１１に固着（螺着）させて（すなわち、スパウト１１の注出部１４にキャップ３７を被覆させ、内周面のネジ溝をスパウト１１の注出部１４のネジ山と螺合させることによってスパウト１１に装着して）使用に供する（商品として陳列する一方、消費者が購入して充填された液体を少しずつ注出する）。
【００３６】
また、上記の如く、液体（シャンプー等）が袋本体１ａの内部に充填された状態で、ポンプディスペンサー３１のヘッド部分３８を押圧操作することによって、袋本体１ａの内部の液体をノズル３５から注出させることができる。そのように押圧操作を行う際には、袋本体１ａの内部で、筒状体４１の先端が、袋本体１ａの底面に当接して押圧操作の支えとなる。そのため、押圧操作の際に、ポンプディスペンサー３１の吸引パイプ３４が屈曲したり、袋本体１ａ自体が崩れたりしないため、シリンダー３２内でピストン３３を抵抗なく上下動させて、袋本体１ａ内の液体をスムーズにノズル３５から注出させることができる。なお、筒状体４１は、先端面（下端面）が断面波状に湾曲しているため、ポンプディスペンサー３１のヘッド部分３８の押圧操作の際に、筒状体４１の先端が袋本体１ａの底面に当着した場合でも、筒状体４１の先端面と袋本体１ａの底面との間に隙間が形成されるので、ポンプディスペンサー３１の吸引パイプ３４によって袋本体１ａ内の液体をスムーズに吸引することができる。
【００３７】
さらに、袋本体１ａの内部の液体をすべて排出した後には、ポンプディスペンサー３１を取り外して、そのポンプディスペンサー３１を、同一の液体を充填した同一形状を有する取り替え用の袋本体１ａ（スパウト１１の注出部１４の上端に、ポンプディスペンサー３１の代わりに、閉栓のためのキャップを装着させたもの）のスパウト１１に固着（螺着）させることによって、その取り替え用の袋本体１ａを、ポンプディスペンサー付きの新たな液体収納袋Ｐ１として使用することができる。そのため、ポンプディスペンサー３１を再利用することができる上、内部の液体をすべて排出した後の袋本体１ａを、丸めて（減容して）廃棄することが可能となる。
【００３８】
＜実施例１の液体収納袋による効果＞
液体収納袋Ｐ１は、上記の如く、袋本体１ａの上部に、注出孔１８を設けた注出部材であるスパウト１１が固着されているとともに、ポンプディスペンサー３１の吸引パイプ３４を収納可能な（吸引パイプ３４の外周を覆う）筒状体４１が、スパウト１１の注出孔１８に挿通した状態で鉛直下向きに設けられている。それゆえ、液体収納袋Ｐ１においては、液体を充填して載置させた状態でポンプディスペンサー３１のヘッド部分３８を押圧操作した場合に、筒状体４１がその形態を保持して上からの圧力に対する支えとなるため、ポンプディスペンサー３１や袋本体１ａを支持することなく、充填された液体を吐出させることができるので、操作性に優れている。また、ポンプディスペンサー３１のヘッド部分３８を押圧操作する際に、ポンプディスペンサー３１の吸引パイプ３４が折れ曲がったりしないので、ポンプディスペンサー３１を長期間に亘って繰り返して使用することができる。また、液体収納袋Ｐ１は、ポンプディスペンサー３１の押圧操作の際に、その押圧操作の圧力を、ポンプディスペンサー３１の吸引パイプ３４より大径の筒状体４１の先端面および袋本体１ａの底面の当接部分の広い面積で受け止めるため（すなわち、押圧操作の圧力が筒状体４１の先端面の一部から袋本体１ａの底面の当接部分に伝わる事態が起こりにくいため）、袋本体１ａが破れにくい。したがって、液体収納袋Ｐ１によれば、肉厚のボトル状容器を用いることなくポンプディスペンサー３１の繰り返し使用が可能となるため、環境負荷を低減し、エコに供することができる上、従来のボトル状容器の廃棄の際には困難であった減容化が可能である。
【００３９】
また、液体収納袋Ｐ１は、袋本体１ａが左右両サイドに折り込み部（折り込み材３，３を挟み込んだ部分）を設けるとともに、左右の端縁際の前後に、それぞれ、折り込み材３，３と胴材２ａ，２ｂとをヒートシールしてなる側方シール部５，５・・を設けたガゼット袋であるため、袋本体１ａに充填された液体が残り少なくなった場合でも、袋本体１ａが安定して起立した状態を保つので、ポンプディスペンサー３１の押圧操作が行いにくくなったりしない。
【００４０】
［実施例２］
＜実施例２の液体収納袋の構成＞
図８、図９は、実施例２の液体収納袋Ｐ２を示したものであり、液体収納袋Ｐ２は、合成樹脂製のガゼット袋である袋本体１ｂの下側の部分の構造が、実施例１の液体収納袋Ｐ１の袋本体１ａと異なっている。すなわち、袋本体１ｂは、表裏２枚の略矩形の胴材２ａ，２ｂ、それらの胴材２ａ，２ｂの左右の両端縁際に挟み込まれた折り込み材３，３、および、底部の折り込み材２０によって、正面視が略矩形（縦長な長方形状）となるように形成されており、縦×横＝２２０ｍｍ×１６０ｍｍの大きさを有している。そして、折り込み材２０によって、左右両側のみではなく、下側（底部）にも折り込み部が形成された状態になっている。なお、液体収納袋Ｐ２の袋本体１ｂにおける胴材２ａ，２ｂ、折り込み材３，３、折り込み材２０の材質は、実施例１の液体収納袋Ｐ１の袋本体１ａの胴材２ａ，２ｂ、折り込み材３，３の材質と同じである。
【００４１】
また、図１０は、袋本体１ｂにおける左右両サイドの折り込み材３，３および底部の折り込み材２０を示したものである。左右の各折り込み材３，３は、実施例１の液体収納袋Ｐ１の袋本体１ａと同様に、胴材２ａ，２ｂと同様な合成樹脂製シートからなる縦長な帯状体を、直鎖状低密度ポリエチレンフィルム層が外側になるように、所定の幅（約５５ｍｍ幅）の二つ折りにした構造を有している。そして、それらの折り込み材３，３は、直鎖状低密度ポリエチレンフィルム層を表裏の胴材２ａ，２ｂの裏面に対向させた状態で配置されている。
【００４２】
また、左右の各折り込み材３，３の下端際の部分は、それぞれ、断面（鉛直な断面）Ｍ字状になるように中側へ斜めに折り曲げられており、それらの屈曲部分Ｆ，Ｆの内部に、横長な帯状体を二つ折りにしてなる底部の折り込み材２０の左右の両端際が挟み込まれている。なお、当該底部の折り込み材２０は、胴材２ａ，２ｂ，折り込み材３，３と同様な合成樹脂製シートによって形成されており、裏面（熱接着性面）を外向きにした状態で所定の幅（約５５ｍｍ幅）で二つ折りされている。そして、それらの左右の折り込み材３，３および底部の折り込み材２０の表裏の外側に、胴材２ａ，２ｂが重ねられている。
【００４３】
そして、胴材２ａ，２ｂと折り込み材３，３との積層部分の内の端縁際の部分をヒートシールすることによって幅約８ｍｍの側方シール部５，５・・が形成されている。当該側方シール部５，５・・の内の上側の部分においては、表側の胴材２ａの裏面と折り込み材３，３の裏面、および、裏側の胴材２ｂの裏面と折り込み材３，３の裏面が、それぞれ融着し合っている。一方、側方シール部５，５・・の下端際の部分においては、断面Ｍ字状の屈曲部分Ｆの外側では、表側の胴材２ａの裏面と折り込み材３，３の裏面、および、裏側の胴材２ｂの裏面と折り込み材３，３の裏面が、それぞれ融着し合っており、屈曲部分Ｆの内側では、折り込み材３，３の裏面と底部の折り込み材２０の裏面が融着し合っている。
【００４４】
また、底部の折り込み部（折り込み材２０が挟み込まれた部分）の下端縁際の部分を一定の高さ（約８ｍｍ）の帯状にヒートシールすることによって底シール部７，７が形成されている。そして、それらの底シール部７，７においては、表側の胴材２ａの裏面と折り込み材２０の裏面、および、裏側の胴材２ｂの裏面と折り込み材２０の裏面が、それぞれ融着し合っている。実施例２の液体収納袋Ｐ２の袋本体１ｂの下側（底部）の折り込み部以外の構造は、実施例１の液体収納袋Ｐ１の袋本体１ａと同様である。
【００４５】
＜実施例２の液体収納袋による効果＞
かかる実施例２の液体収納袋Ｐ２も、実施例１の液体収納袋Ｐ１と同様に、液体を充填して載置させた状態でポンプディスペンサー３１のヘッド部分３８を押圧操作した場合に、筒状体４１がその形態を保持して上からの圧力に対する支えとなるため、ポンプディスペンサー３１や袋本体１ｂを支持することなく、充填された液体を吐出させることができるので操作性に優れている。また、ポンプディスペンサー３１のヘッド部分３８を押圧操作する際に、ポンプディスペンサー３１の吸引パイプ３４が折れ曲がったりしないので、ポンプディスペンサー３１を長期間に亘って繰り返して使用することができる。また、液体収納袋Ｐ２も、ポンプディスペンサー３１の押圧操作の際に、その押圧操作の圧力を、ポンプディスペンサー３１の吸引パイプ３４より大径の筒状体４１の先端面および袋本体１ｂの底面の当接部分の広い面積で受け止めるため、袋本体１ｂが破れにくい。したがって、液体収納袋Ｐ２によれば、肉厚のボトル状容器を用いることなくポンプディスペンサー３１の繰り返し使用が可能となるため、環境負荷を低減し、エコに供することができる上、廃棄の際の減容化が可能である。また、実施例２の液体収納袋Ｐ２も、実施例１の液体収納袋Ｐ１と同様に、袋本体１ｂが左右両サイドに折り込み部（折り込み材３，３を挟み込んだ部分）を設けるとともに、左右の端縁際の前後に、それぞれ、折り込み材３，３と胴材２ａ，２ｂとをヒートシールしてなる側方シール部５，５・・を設けたガゼット袋であるため、袋本体１ｂに充填された液体が残り少なくなった場合でも、袋本体１ｂが安定して起立した状態を保つので、ポンプディスペンサー３１の押圧操作が行いにくくなったりしない。
【００４６】
［実施例３］
＜実施例３の液体収納袋の構成＞
図１１は、実施例３の液体収納袋Ｐ３を示したものであり、液体収納袋Ｐ３は、合成樹脂製のガゼット袋である袋本体１ｃ、実施例１の液体収納袋Ｐ１と同じスパウト１１、筒状体４１、および、ポンプディスペンサー３１によって構成されている（すなわち、液体収納袋Ｐ３は、袋本体１ｃの構造が実施例１の液体収納袋Ｐ１の袋本体１ａの構造と異なっている）。
【００４７】
図１２は、袋本体１ｃを分解して（袋本体１ｃからスパウト１１を取り外して）示したものである。袋本体１ｃは、表裏２枚の略矩形の胴材２ａ，２ｂ、それらの胴材２ａ，２ｂの左右の両端縁際に挟み込まれた折り込み材３，３、および、底部の折り込み材２０によって、正面視が略矩形（縦長な長方形状）で上部を開口した袋状に形成されており、縦×横＝２２０ｍｍ×１０５ｍｍの大きさを有している（すなわち、袋本体１ｃは、実施例１の液体収納袋Ｐ１の袋本体１ａに比べて、正面視が左右の幅の狭い縦長な長方形状になっている）。なお、液体収納袋Ｐ３の袋本体１ｃにおける胴材２ａ，２ｂ、折り込み材３，３、折り込み材２０の材質は、実施例１の液体収納袋Ｐ１の袋本体１ａの胴材２ａ，２ｂ、折り込み材３，３の材質と同じであり、表裏の胴材２ａ，２ｂは、それぞれ、熱接着性の面を内側にした状態で配置されている。
【００４８】
また、図１３は、袋本体１ｂにおける左右両サイドの折り込み材３，３および底部の折り込み材２０を示したものである。左右の各折り込み材３，３の上端際の部分は、胴材２ａ，２ｂと同様な合成樹脂製シートからなる縦長な帯状体を、熱接着性の面が内側になるように、所定の幅（約４０ｍｍ幅）の二つ折りにして、その上端際の部分をさらに斜めに折り曲げた構造を有している。そして、二つ折りした部分が一定の幅を有する定幅部分２８を構成し、上端際の四つ折り部分が幅狭部分２９を構成した状態になっている。なお、左側の折り込み材３と右側の折り込み材３は、左右対称な構造を有している。それらの折り込み材３，３は、熱接着性の面を表裏の胴材２ａ，２ｂの裏面に対向させた状態で配置されている。
【００４９】
また、左右の各折り込み材３，３の下端際の部分は、実施例２の液体収納袋Ｐ２の袋本体１ｂと同じ構造を有しており、それぞれ、断面（鉛直な断面）Ｍ字状になるように中側へ斜めに折り曲げられており、それらの屈曲部分Ｆ，Ｆの内部に、横長な帯状体を所定幅（約４０ｍｍ幅）で二つ折りにしてなる底部の折り込み材２０の左右の両端際が挟み込まれている。そして、それらの左右の折り込み材３，３および底部の折り込み材２０の表裏の外側に、胴材２ａ，２ｂが重ねられている。
【００５０】
また、胴材２ａ，２ｂと折り込み材３，３との積層部分の内の端縁際の部分をヒートシールすることによって幅約８ｍｍの側方シール部５，５・・が形成されている。当該側方シール部５，５・・の内の上側の部分においては、表側の胴材２ａの裏面と折り込み材３，３の裏面、および、裏側の胴材２ｂの裏面と折り込み材３，３の裏面が、それぞれ融着し合っている。一方、側方シール部５，５・・の下端際の部分においては、断面Ｍ字状の屈曲部分Ｆの外側では、表側の胴材２ａの裏面と折り込み材３，３の裏面、および、裏側の胴材２ｂの裏面と折り込み材３，３の裏面が、それぞれ融着し合っており、屈曲部分Ｆの内側では、折り込み材３，３の裏面と底部の折り込み材２０の裏面が融着し合っている。
【００５１】
また、底部の折り込み部（折り込み材２０が挟み込まれた部分）の下端縁際の部分を一定の高さ（約８ｍｍ）の帯状にヒートシールすることによって底シール部７，７が形成されている。そして、それらの底シール部７，７においては、表側の胴材２ａの裏面と折り込み材２０の裏面、および、裏側の胴材２ｂの裏面と折り込み材２０の裏面が、それぞれ融着し合っている。
【００５２】
さらに、各側方シール部５，５・・の上部であって折り込み材３，３の上端際の外側の部分には、略半楕円形状のシール強化部８が設けられており、それらのシール強化部８，８の最大幅は、約２０ｍｍになっている。なお、それらのシール強化部８，８によって、胴材２ａ，２ｂの間に挟み込まれた折り込み材３，３の幅狭部分２９（四つ折り部分）が強固に融着された状態になっている。
【００５３】
そして、袋本体１ｃの上端縁際の略中央には、実施例１の液体収納袋Ｐ１と同様に、スパウト１１が固着（熱融着）されており、当該スパウト１１の下側に、筒状体４１が取り付けられている（固定されている）。さらに、実施例１の液体収納袋Ｐ１と同様に、ポンプディスペンサー３１が、スパウト１１の注出部１４に螺着されている。上記した実施例３の液体収納袋Ｐ３も、実施例１の液体収納袋Ｐ１と同様に、シャンプー等を収納して用いることができる。
【００５４】
＜実施例３の液体収納袋による効果＞
かかる実施例３の液体収納袋Ｐ３も、実施例１の液体収納袋Ｐ１と同様に、液体を充填して載置させた状態でポンプディスペンサー３１のヘッド部分３８を押圧操作した場合に、筒状体４１がその形態を保持して上からの圧力に対する支えとなるため、ポンプディスペンサー３１や袋本体１ｃを支持することなく、充填された液体を吐出させることができるので操作性に優れている。また、ポンプディスペンサー３１のヘッド部分３８を押圧操作する際に、ポンプディスペンサー３１の吸引パイプ３４が折れ曲がったりしないので、ポンプディスペンサー３１を長期間に亘って繰り返して使用することができる。また、液体収納袋Ｐ３も、ポンプディスペンサー３１の押圧操作の際に、その押圧操作の圧力を、ポンプディスペンサー３１の吸引パイプ３４より大径の筒状体４１の先端面および袋本体１ｂの底面の当接部分の広い面積で受け止めるため、袋本体１ｃが破れにくい。したがって、液体収納袋Ｐ３によれば、肉厚のボトル状容器を用いることなくポンプディスペンサー３１の繰り返し使用が可能となるため、環境負荷を低減し、エコに供することができる上、廃棄の際の減容化が可能である。また、実施例３の液体収納袋Ｐ３も、実施例１の液体収納袋Ｐ１と同様に、袋本体１ｃが左右両サイドに折り込み部（折り込み材３，３を挟み込んだ部分）を設けるとともに、左右の端縁際の前後に、それぞれ、折り込み材３，３と胴材２ａ，２ｂとをヒートシールしてなる側方シール部５，５・・を設けたガゼット袋であるため、袋本体１ｃに充填された液体が残り少なくなった場合でも、袋本体１ｃが安定して起立した状態を保つので、ポンプディスペンサー３１の押圧操作が行いにくくなったりしない。
【００５５】
加えて、実施例３の液体収納袋Ｐ３は、横幅が狭く、左右の折り込み材３，３同士の間隔がスパウト１１の接着部１５の幅よりも小さくなっているにもかかわらず、（スパウト１１を固着させる前の）袋本体１ｃの開口部Ｏが２枚の胴材２ａ，２ｂのみによって構成されており、スパウト１１を固着させる際に、折り込み材３，３が干渉する事態が生じないため、その固着作業が容易であるので、短時間の内に効率良く製造することができる。また、実施例３の液体収納袋Ｐ３は、上記の如く、横幅が狭く、小さなスペースで陳列することができるので、陳列時のレイアウトの自由度が大きい。
【００５６】
［実施例４］
＜実施例４の液体収納袋の構成＞
図１４は、実施例４の液体収納袋Ｐ４を示したものであり、液体収納袋Ｐ４は、合成樹脂製のガゼット袋である袋本体１ｄ、実施例１の液体収納袋Ｐ１と同じスパウト１１、筒状体４１、および、ポンプディスペンサー３１によって構成されている（すなわち、液体収納袋Ｐ４は、袋本体１ｄの構造が、実施例１の液体収納袋Ｐ１の袋本体１ａの構造と異なっている）。
【００５７】
図１５、図１６は、袋本体１ｄを分解して（袋本体１ｂからスパウト１１を取り外して）示したものである。袋本体１ｄは、表裏２枚の略矩形の胴材２ａ，２ｂ、それらの胴材２ａ，２ｂの左右の両端縁際に挟み込まれた折り込み材３，３、底部の折り込み材２０、および、裏側の胴材２ｂに折り込み材３，３を融着させるための帯状部材３０を、所定の態様で重ね合わせて、所定の箇所をヒートシールすることによって、正面視が略矩形（縦長な長方形状）で上部を開口した袋状に形成されている。そして、当該袋本体１ｄは、縦×横＝２２０ｍｍ×１０５ｍｍの大きさを有している（すなわち、袋本体１ｄは、実施例１の液体収納袋Ｐ１の袋本体１ａに比べて、正面視が左右の幅の狭い縦長な長方形状になっている）。なお、液体収納袋Ｐ４の袋本体１ｄにおける胴材２ａ，２ｂ、折り込み材３，３、折り込み材２０の材質は、実施例１の液体収納袋Ｐ１の袋本体１ａの胴材２ａ，２ｂ、折り込み材３，３の材質と同じである。
【００５８】
袋本体１ｄの胴材２ａ，２ｂの左右の両側部および下側（底部）には、それぞれ、実施例２の液体収納袋Ｐ２の袋本体１ｂと同様な態様で、左右の折り込み材３，３および底部の折り込み材２０が、それぞれ、所定の幅（折り込み材３，３＝約４０ｍｍ幅、折り込み材２０＝約４０ｍｍ幅）の二つ折りになった状態で挟み込まれている。すなわち、左右の各折り込み材３，３の下端際の部分は、それぞれ、断面（鉛直な断面）Ｍ字状になるように中側へ斜めに折り曲げられており、それらの屈曲部分Ｆ，Ｆの内部に、横長な帯状体を二つ折りにしてなる底部の折り込み材２０の左右の両端際が挟み込まれている。そして、それらの左右の折り込み材３，３および底部の折り込み材２０の表裏の外側に、胴材２ａ，２ｂが重ねられている。そして、胴材２ａ，２ｂと折り込み材３，３との積層部分の内の端縁際の部分をヒートシールすることによって、幅約８ｍｍの側方シール部５，５・・が形成されている。また、底部の折り込み部（折り込み材２０が挟み込まれた部分）の下端縁際の部分を一定の高さ（約８ｍｍ）の帯状にヒートシールすることによって底シール部７，７が形成されている。
【００５９】
一方、袋本体１ｄの上端際の部分においては、帯状部材３０によって左右の折り込み材３，３が裏側の胴材２ｂの内面に固着されている。当該帯状部材３０は、厚さ１００μｍのナイロンフィルム（ベースフィルム）の上下に、それぞれ、厚さ５０μｍの直鎖状(線状)低密度ポリエチレン（ＬＬＤＰＥ）フィルムを積層してなる三層構造の合成樹脂製シートによって、縦（上下幅）×横＝３０ｍｍ×１０５ｍｍの帯状（テープ状）に形成されている（すなわち、帯状部材３０は、表裏両面が熱接着性を有している）。
【００６０】
そして、袋本体１ｄの上端際の部分においては、帯状部材３０が、内側から折り込み材３，３に押し当てられた状態で、裏側の胴材２ｂの外側から加熱されることによって、折り込み材３，３および裏側の胴材２ｂにヒートシールされている。すなわち、図１６（ｂ）の如く、袋本体１ｄの上端際の中央の部分においては、帯状部材３０の外面と胴材２ｂの裏面（内面）とが融着し合っており、袋本体１ｄの上端際の左右の部分においては、それぞれ、帯状部材３０の外面と左右の折り込み材３，３の裏面とが融着し合っている。さらに、それらの折り込み材３，３の裏面と融着し合った帯状部材３０の外側においては、裏側の胴材２ｂの裏面（内面）と折り込み材３，３の裏面とが融着し合っている。
【００６１】
加えて、左右の折り込み材３，３の折り曲げ稜線側ではない側方の端縁際（すなわち、左側の折り込み材３の上端際の左端縁際、および、右側の折り込み材３ｂの上端際の右端縁際）には、それぞれ、２枚重なった折り込み材３，３を貫通するように貫通孔２１，２１が設けられている。それらの貫通孔２１，２１においては、帯状部材３０の外面と胴材２ｂの裏面とが直接的に融着し合っている。そして、袋本体１ｄの上端際の部分においては、帯状部材３０によって、左右の折り込み材３，３が裏側の胴材２ｂにヒートシールされていることによって、表側の胴材２ａと帯状部材３０との間が、スパウト１１を固着（融着）させるための面積の大きな開口部Ｏとなっている。
【００６２】
加えて、袋本体１ｄの左右の側方シール部５，５・・の内の前方側（胴材２ａ側）の上端際においては、胴材２ａと帯状部材３０とが融着し合っており、それ以外の前方側（胴材２ａ側）および後方側（胴材２ｂ側）の側方シール部５，５・・においては、表側の胴材２ａの裏面と折り込み材３，３の裏面、および、裏側の胴材２ｂの裏面と折り込み材３，３の裏面が、それぞれ融着し合っている。
【００６３】
＜実施例４の液体収納袋による効果＞
かかる実施例４の液体収納袋Ｐ４も、実施例１の液体収納袋Ｐ１と同様に、液体を充填して載置させた状態でポンプディスペンサー３１のヘッド部分３８を押圧操作した場合に、筒状体４１がその形態を保持して上からの圧力に対する支えとなるため、ポンプディスペンサー３１や袋本体１ｄを支持することなく、充填された液体を吐出させることができるので操作性に優れている。また、ポンプディスペンサー３１のヘッド部分３８を押圧操作する際に、ポンプディスペンサー３１の吸引パイプ３４が折れ曲がったりしないので、ポンプディスペンサー３１を長期間に亘って繰り返して使用することができる。また、液体収納袋Ｐ４も、ポンプディスペンサー３１の押圧操作の際に、その押圧操作の圧力を、ポンプディスペンサー３１の吸引パイプ３４より大径の筒状体４１の先端面および袋本体１ｂの底面の当接部分の広い面積で受け止めるため、袋本体１ｄが破れにくい。したがって、液体収納袋Ｐ４によれば、肉厚のボトル状容器を用いることなくポンプディスペンサー３１の繰り返し使用が可能となるため、環境負荷を低減し、エコに供することができる上、廃棄の際の減容化が可能である。また、実施例４の液体収納袋Ｐ４も、実施例１の液体収納袋Ｐ１と同様に、袋本体１ｄが左右両サイドに折り込み部（折り込み材３，３を挟み込んだ部分）を設けるとともに、左右の端縁際の前後に、それぞれ、折り込み材３，３と胴材２ａ，２ｂとをヒートシールしてなる側方シール部５，５・・を設けたガゼット袋であるため、袋本体１ｄに充填された液体が残り少なくなった場合でも、袋本体１ｄが安定して起立した状態を保つので、ポンプディスペンサー３１の押圧操作が行いにくくなったりしない。
【００６４】
加えて、実施例４の液体収納袋Ｐ４は、横幅が狭く、左右の折り込み材３，３同士の間隔がスパウト１１の接着部１５の幅よりも小さくなっているにもかかわらず、折り込み材３，３が裏側の胴材２ｂに固着されており、スパウト１１を固着させる際に、折り込み材３，３が干渉する事態が生じないため、その固着作業が容易であるので、短時間の内に効率良く製造することができる。また、実施例４の液体収納袋Ｐ４は、上記の如く、横幅が狭く、小さなスペースで陳列することができるので、陳列時のレイアウトの自由度が大きい。
【００６５】
［実施例５］
＜実施例５の液体収納袋の構成＞
図１７は、実施例５の液体収納袋Ｐ５を示したものであり、液体収納袋Ｐ５は、合成樹脂製の袋本体１ｅ、スパウト５１、筒状体４１、および、ポンプディスペンサー３１によって構成されている（すなわち、液体収納袋Ｐ５は、袋本体１ｅおよびスパウト５１の構造が、実施例１の液体収納袋Ｐ１の袋本体１ａの構造と異なっている）。図１８、図１９は、液体収納袋Ｐ５の袋本体１ｅを示したものであり、袋本体１ｅは、上側および下側（底部）に折り込み部を設けたパウチであり、表裏２枚の略矩形の胴材２ａ，２ｂ、スパウト５１を固着させた天井材４７、折り込み材２０によって構成されている。なお、胴材２ａ，２ｂ、天井材４７および折り込み材２０は、単一の合成樹脂製シートを所定の形態で折り曲げることによって連続的に形成されている。
【００６６】
すなわち、袋本体１ｅは、表裏の胴材２ａ，２ｂが、それぞれ、熱接着性の面を内向きにした状態で対向するように配置されており、上端際においては、表側の胴材２ａが所定幅で前方へ直交するように折り返されているとともに、裏側の胴材２ｂが所定幅で後方へ直交するように折り返されている。そして、それらの胴材２ａ，２ｂの折返し部分の上に、スパウト５１を固着させた天井材４７が載置されており、その積層部分の外周が、一定の幅でヒートシールされている（頭シール部４８）。なお、胴材２ａ，２ｂと天井材４７との積層部分においては、矩形状の積層体の上下左右の隅部を裁断することによって平面視が八角形状になっている（図１８（ｃ）参照）。
【００６７】
また、図２０は、スパウト５１を示したものであり、スパウト５１は、実施例１のスパウト１１と同様な熱接着性の合成樹脂によって形成されており、内容物を注出するための略円筒状の注出部５３の下部に、袋本体１ｅと融着させるための平板状の接着部５２が、その板面を注出部５３の長手方向と直交させた状態で連設されている。なお、注出部５３は、約３０ｍｍの高さを有しており、接着部５２は、外径３５ｍｍの円盤状である。また、注出部５３の外周には、ポンプディスペンサー３１と螺着させるためのネジ山５４が設けられている。なお、注出部５３の内径（注出孔１８の径）は、実施例１の液体収納袋Ｐ１のスパウト１１と同じである。そして、当該スパウト５１は、天井材４７の中央（前後左右の中央）に穿設された円形の挿通孔（図示せず）に注出部５３を挿通させて、接着部５２の上面を天井材４７の下面（熱接着性の面）に融着させた状態で、天井材４７に固着されている。
【００６８】
また、袋本体１ｅの左右の側縁際の部分（下側の部分を除く）においては、表裏の胴材２ａ，２ｂが一定幅でヒートシールされている（側方シール部５，５）。一方、袋本体１ｅの下側の部分においては、上述の如く、単一の合成樹脂製シートを折り曲げることによって、表裏の胴材２ａ，２ｂの間に、横長な帯状体を長手方向に沿って二つ折りしてなる折り込み材２０が挟み込まれた状態になっている。そして、その折り込み材２０を構成している積層部分の周縁際の部分（すなわち、下端際の部分および左右の側縁際の部分）が、一定の幅でヒートシールされている（底シール部７，７、側方シール部５，５）。
【００６９】
加えて、袋本体１ｅの左右の下端縁際には、左右の側方シール部５，５・・から底シール部７，７に至るように、それぞれ一定幅（約７ｍｍ）の帯状の傾斜シール部４５，４５・・が設けられており、それらの傾斜シール部４５，４５・・は、水平方向に対して所定の角度（約４５°）傾斜した状態になっている。また、傾斜シール部４５，４５・・の外側の端縁は、側方シール部５，５・・と重なり合っており、また、傾斜シール部４５，４５・・の内側の端縁（下端縁）は、底シール部７，７と重なり合っている。前面側の傾斜シール部４５，４５においては、表側の胴材２ａの裏面（内面）と折り込み材２０の裏面（折り畳んだ前側の面）とが融着し合っており、後面側の傾斜シール部４５，４５においては、裏側の胴材２ｂの裏面（内面）と折り込み材２０の裏面（折り畳んだ後側の面）とが融着し合っている。
【００７０】
さらに、左右の側方シール部５，５の下端際の部分には、それぞれ、スポット融着部４６，４６が設けられている。当該スポット融着部４６，４６においては、二つ折りした折り込み材２０，２０を貫通するように貫通孔（図示せず）が設けられており、それらの貫通孔を介して、表側の胴材２ａの裏面と裏側の胴材２ｂの裏面とが直接的に融着し合っている。
【００７１】
上記の如く構成された袋本体１ｅは、縦×横＝１８０ｍｍ×１０５ｍｍの大きさを有している（すなわち、袋本体１ｅは、実施例１の液体収納袋Ｐ１の袋本体１ａに比べて、正面視が左右の幅の狭い縦長な長方形状になっている）。なお、液体収納袋Ｐ５の袋本体１ｅにおける胴材２ａ，２ｂ、天井材４７、折り込み材２０の材質は、実施例１の液体収納袋Ｐ１の袋本体１ａの胴材２ａ，２ｂ、折り込み材３，３の材質と同じである。
【００７２】
そして、袋本体１ｅにおいても、実施例１の液体収納袋Ｐ１の袋本体１ａと同様に、筒状体４１が、スパウト５１の注出部５３の注出孔１８の内部に挿入されて、下側の部分をスパウトの下方に突出させ、かつ、基端部分を注出孔１８の内側に位置させた状態になっている。
【００７３】
＜実施例５の液体収納袋の使用方法＞
上記の如く構成された液体収納袋Ｐ５も、実施例１の液体収納袋Ｐ１と同様に、スパウト５１の注出部５３から袋本体１ｅの内部に液体を充填させて用いられる。そして、そのように液体を充填させると、袋本体１ｅは、表裏の胴材２ａ，２ｂが略円柱状に拡がるとともに、二つ折りになった折り込み材２０が拡がるため、安定した状態で起立させることができる。そして、袋本体１ｅがそのように起立した状態となると（図１９参照）、筒状体４１が、起立した状態の袋本体１ｅの内部でスパウト５１の下面から下方に鉛直に突出して袋本体１ｅの底面際まで至った状態となる。そのように袋本体１ｅの内部に液体を充填させた後には、ポンプディスペンサー３１を、その吸引パイプ３４を筒状体４１に挿入するようにして、スパウト５１に固着（螺着）させて使用に供する。
【００７４】
＜実施例５の液体収納袋による効果＞
かかる実施例５の液体収納袋Ｐ５も、実施例１の液体収納袋Ｐ１と同様に、液体を充填して載置させた状態でポンプディスペンサー３１のヘッド部分３８を押圧操作した場合に、筒状体４１がその形態を保持して上からの圧力に対する支えとなるため、ポンプディスペンサー３１や袋本体１ｅを支持することなく、充填された液体を吐出させることができるので操作性に優れている。また、ポンプディスペンサー３１のヘッド部分３８を押圧操作する際に、ポンプディスペンサー３１の吸引パイプ３４が折れ曲がったりしないので、ポンプディスペンサー３１を長期間に亘って繰り返して使用することができる。また、液体収納袋Ｐ５も、ポンプディスペンサー３１の押圧操作の際に、その押圧操作の圧力を、ポンプディスペンサー３１の吸引パイプ３４より大径の筒状体４１の先端面および袋本体１ｅの底面の当接部分の広い面積で受け止めるため、袋本体１ｅが破れにくい。したがって、液体収納袋Ｐ５によれば、肉厚のボトル状容器を用いることなくポンプディスペンサー３１の繰り返し使用が可能となるため、環境負荷を低減し、エコに供することができる上、廃棄の際の減容化が可能である。加えて、実施例５の液体収納袋Ｐ５は、横幅が狭く、小さなスペースで陳列することができるので、陳列時のレイアウトの自由度が大きい。
【００７５】
＜液体収納袋の変更例＞
本発明に係る液体収納袋の構成は、上記した各実施形態の態様に何ら限定されるものではなく、袋本体を構成する合成樹脂製シートの材質、袋本体の大きさ（高さ、幅、折り込み部（マチ）の幅等）や形状、スパウトや筒状体の材質、大きさ、形状等の構成を、本発明の趣旨を逸脱しない範囲で、必要に応じて適宜変更できる。
【００７６】
たとえば、袋本体を構成する合成樹脂製シートは、上記実施形態の如く、ナイロンフィルムとポリエステルフィルムとポリエチレンフィルム（直鎖状低密度ポリエチレンフィルム）とを積層させたものに限定されず、他の材質の合成樹脂フィルムを積層させたものでも良い。なお、合成樹脂製シートとして、ナイロンフィルムとポリエステルフィルムとポリエチレンフィルム（直鎖状低密度ポリエチレンフィルム）とを積層させたものを用いた場合には、袋本体の強度が良好なものとなるとともに、液体収納袋の製造が容易なものとなる。
【００７７】
また、袋本体として、パウチを用いる場合でも、袋本体は、上記実施形態（実施例５）の如く、上下に折り込み部を設けたもの（天井材４７および折り込み材２０）に限定されず、底部のみに折り込み部を設けたものとすることも可能である。図２１は、その一例を示したものであり、袋本体１ｇは、表裏の胴材２ａ，２ｂの下端際において、表裏の胴材２ａ，２ｂの間に、横長な帯状体を長手方向に沿って二つ折りしてなる折り込み材２０が挟み込まれている。そして、その積層部分の周縁際の部分（すなわち、下端際の部分および左右の側縁際の部分）がヒートシールされており、当該ヒートシール部分（底シール部５９）の上端縁が円弧状になっている。さらに、左右の側方シール部５，５の下端際の部分には、それぞれ、スポット融着部５８，５８が設けられている。当該スポット融着部５８，５８においては、二つ折りした折り込み材２０，２０を貫通するように貫通孔（図示せず）が設けられており、それらの貫通孔を介して、表側の胴材２ａの裏面と裏側の胴材２ｂの裏面とが直接的に融着し合っている。
【００７８】
そのように袋本体１ｇを採用した液体収納袋も、実施例１の液体収納袋Ｐ１と同様に、液体を充填して載置させた状態でポンプディスペンサーのヘッド部分を押圧操作した場合の操作性が良好であり、袋本体１ｇが破れにくいので、肉厚なボトル状容器を用いることなくポンプディスペンサーの繰り返し使用が可能となり、環境負荷を低減し、エコに供することができる上、廃棄の際の減容化が可能である。
【００７９】
また、袋本体は、左右の各折り込み材の上端際の部分を折り曲げて幅狭部分を形成する場合でも、上記実施形態（実施例３）の如く、底部に折り込み部を設けたものに限定されず、底部に折り込み部がないものとすることも可能である。図２２は、その一例を示したものであり、袋本体１ｆにおいては、表裏の胴材２ａ，２ｂの左右に挟み込まれた折り込み材３，３が下端まで至っている。そして、袋本体１ｆの左右の下端縁際には、左右の側方シール部５，５・・から底シール部７に至るように、それぞれ一定幅（約７ｍｍ）の帯状の傾斜シール部５６，５６・・が設けられており、それらの傾斜シール部５６，５６・・は、水平方向に対して所定の角度（約４５°）だけ傾斜した状態になっている。また、傾斜シール部５６，５６・・の外側の端縁は、側方シール部５，５・・と重なり合っており、また、傾斜シール部５６，５６・・の内側の端縁（下端縁）は、底シール部７と重なり合っている。各傾斜シール部５６，５６・・においては、表裏の胴材２ａ，２ｂの裏面（内面）と左右の折り込み材３，３の裏面とが融着し合っている。さらに、底シール部７の左右の端縁際には、それぞれ、スポット融着部５７，５７が設けられている。当該スポット融着部５７，５７においては、二つ折りした折り込み材３，３を貫通するように貫通孔（図示せず）が設けられており、それらの貫通孔を介して、表側の胴材２ａの裏面と裏側の胴材２ｂの裏面とが直接的に融着し合っている。
【００８０】
上記の如き袋本体１ｆを採用した液体収納袋は、固着させたスパウトから袋本体１ｆ内に液体を充填させると、袋本体１ｆにおいて、二つ折りになった折り込み材３，３の中間部分が拡がるとともに、傾斜シール部５６，５６・・の上端際の部分において、胴材２ａおよび胴材２ｂが、折り込み材３，３とともに屈曲して横長な長方形状の底面を形成し、袋本体１ｆの下側の部分が略直方体状となるため、安定した状態で起立させることができる。そして、そのように袋本体１ｆを採用した液体収納袋も、実施例１の液体収納袋Ｐ１と同様に、液体を充填して載置させた状態でポンプディスペンサーのヘッド部分を押圧操作した場合の操作性が良好であり、袋本体１ｆが破れにくいので、肉厚なボトル状容器を用いることなくポンプディスペンサーの繰り返し使用が可能となり、環境負荷を低減し、エコに供することができる上、廃棄の際の減容化が可能である。
【００８１】
加えて、袋本体は、帯状部材を用いて左右の折り込み材を表裏の胴材に固着させる場合でも、上記実施形態（実施例４）の如く、底部に折り込み部を設けたものに限定されず、底部に折り込み部がないものとすることも可能である。図２３は、その一例を示したものであり、袋本体１ｈは、左右の下端縁際に、左右の側方シール部５，５・・から底シール部７に至るように、それぞれ一定幅（約７ｍｍ）の帯状の傾斜シール部６１，６１・・が設けられており、それらの傾斜シール部６１，６１・・は、水平方向に対して所定の角度（約４５°）だけ傾斜した状態になっている。また、傾斜シール部６１，６１・・の外側の端縁は、側方シール部５，５・・と重なり合っており、傾斜シール部６１，６１・・の内側の端縁（下端縁）は、底シール部７と重なり合っている。それらの傾斜シール部６１，６１・・においては、表裏の胴材２ａ，２ｂの裏面（内面）と左右の折り込み材３，３の裏面とが融着し合っている。さらに、底シール部７の左右の端縁際には、それぞれ、スポット融着部６２，６２が設けられており、それらのスポット融着部６２，６２においては、二つ折りした折り込み材３，３を貫通するように貫通孔（図示せず）が設けられており、それらの貫通孔を介して、表側の胴材２ａの裏面と裏側の胴材２ｂの裏面とが直接的に融着し合っている。
【００８２】
上記の如き袋本体１ｈを採用した液体収納袋は、固着させたスパウトから袋本体１ｈの内部に液体を充填させると、袋本体１ｈにおいて、二つ折りになった折り込み材３，３の中間部分が拡がるとともに、傾斜シール部６１，６１・・の上端際の部分において、胴材２ａおよび胴材２ｂが、折り込み材３，３とともに屈曲して横長な長方形状の底面を形成し、袋本体１ｈの下側の部分が略直方体状となるため、安定した状態で起立させることができる。そして、そのように袋本体１ｈを採用した液体収納袋も、実施例１の液体収納袋Ｐ１と同様に、液体を充填して載置させた状態でポンプディスペンサーのヘッド部分を押圧操作した場合の操作性が良好であり、袋本体１ｈが破れにくいので、肉厚なボトル状容器を用いることなくポンプディスペンサーの繰り返し使用が可能となり、環境負荷を低減し、エコに供することができる上、廃棄の際の減容化が可能である。
【００８３】
加えて、袋本体は、帯状部材を用いて左右の折り込み材を表裏の胴材に固着したものとする場合でも、上記実施形態（実施例４）の如く、左右の折り込み材の上端縁、帯状部材の上端縁、および表裏の胴材の上端縁の高さ位置が同一であるものに限定されず、左右の折り込み材の上端縁が表裏の胴材の上端縁よりも低くなっているとともに、帯状部材の上端縁の高さ位置が表裏の胴材の上端縁の高さ位置と同一であるもの、あるいは、左右の折り込み材の上端縁が表裏の胴材の上端縁よりも低くなっているとともに、帯状部材の上端縁の高さ位置が表裏の胴材の上端縁の高さ位置よりも低くなっているもの等に変更することも可能である。図２４は、その一例を示したものであり、袋本体１ｉは、左右の折り込み材３，３の上端縁が表裏の胴材２ａ，２ｂの上端縁よりも低くなっているとともに、帯状部材３０の上端縁の高さ位置が表裏の胴材２ａ，２ｂの上端縁の高さ位置よりも低くなっている。かかる構成を採用した場合には、袋本体１ｉは、開口部Ｏが表裏の胴材２ａ，２ｂのみで構成され、開口部Ｏを構成する合成樹脂シートの厚みが均一なものとなるので、スパウト１１の固着作業が容易なものとなる。
【００８４】
また、袋本体は、上記の如く、左右の折り込み材の上端縁が表裏の胴材の上端縁よりも低くなっているとともに帯状部材の上端縁の高さ位置が表裏の胴材の上端縁の高さ位置よりも低くなっているように構成する場合でも、上記した図２４の袋本体１ｉのように、底部に折り込み部を設けたものに限定されず、底部に折り込み部がないものとすることも可能である。図２５は、その一例を示したものであり、袋本体１ｊは、左右の下端縁際に、左右の側方シール部５，５・・から底シール部７に至るように、それぞれ一定幅（約７ｍｍ）の帯状の傾斜シール部６４，６４・・が設けられており、それらの傾斜シール部６４，６４・・が、水平方向に対して所定の角度（約４５°）だけ傾斜した状態になっている。また、傾斜シール部６４，６４・・の外側の端縁は、側方シール部５，５・・と重なり合っており、傾斜シール部６４，６４・・の内側の端縁（下端縁）は、底シール部７と重なり合っている。それらの傾斜シール部６４，６４・・においては、表裏の胴材２ａ，２ｂの裏面（内面）と左右の折り込み材３，３の裏面とが融着し合っている。さらに、底シール部７の左右の端縁際には、それぞれ、スポット融着部６５，６５が設けられており、それらのスポット融着部６５，６５においては、二つ折りした折り込み材３，３を貫通するように貫通孔（図示せず）が設けられており、それらの貫通孔を介して、表側の胴材２ａの裏面と裏側の胴材２ｂの裏面とが直接的に融着し合っている。
【００８５】
上記の如き袋本体１ｊを採用した液体収納袋は、固着させたスパウトから袋本体１ｊの内部に液体を充填させると、二つ折りになった折り込み材３，３が拡がるとともに、傾斜シール部６４，６４・・の上端際の部分において、胴材２ａおよび胴材２ｂが折り込み材３，３とともに屈曲して横長な長方形状の底面を形成し、袋本体１ｊの下側の部分が略直方体状となるため、安定した状態で起立させることができる。そして、そのように袋本体１ｊを採用した液体収納袋も、実施例１の液体収納袋Ｐ１と同様に、液体を充填して載置させた状態でポンプディスペンサーのヘッド部分を押圧操作した場合の操作性が良好であり、袋本体１ｊが破れにくいので、肉厚なボトル状容器を用いることなくポンプディスペンサーの繰り返し使用が可能となり、環境負荷を低減し、エコに供することができる上、廃棄の際の減容化が可能である。
【００８６】
さらに、液体収納袋は、上記実施形態の如く、左右上下をヒートシールした後にスパウトから内容物を充填するものに限定されず、上端あるいは下端の一部にヒートシールしていない開口部を設けて、当該開口部から内容物である液体を充填した後に、開口部をヒートシールして密封するもの等に変更することも可能である。なお、上記実施形態の如く、液体収納袋を、スパウトから液体を充填するものや、上端の開口部から液体を充填するものとした場合には、液体の充填の前後で上下をひっくり返す必要がなくなるので、製造ラインを安価かつシンプルに構成することが可能となる。
【００８７】
また、筒状体は、上記実施形態の如く、単純な円筒状のものに限定されず、基端部のみを注出部材の注出孔より若干大径にし、かつ、その他の部分を注出部材の注出孔より若干小径にした円筒状のもの、下端際が他の部分より肉厚なもの、下端際に他の部分より大径のフランジを設けたもの、下端際の側面に単一あるいは複数の液体吸い上げ用の孔を設けたものや、筒状体自体をメッシュ状の素材（たとえば、硬質の合成樹脂）によって形成したもの等に変更することも可能である。さらに、筒状体は、上記実施形態の如く、スパウトの注出孔の内部にスムーズに挿入させるタイプのもの（すなわち、基端部分がスパウトに固着されていないもの）に限定されず、圧着や螺着等の方法を利用して基端部分をスパウトに固着させたもの等に変更することも可能である。
【００８８】
加えて、筒状体は、基端際（上端際）にスパウトと係合可能な係合部を設けたものとすることも可能である。図２５は、基端際（上端際）にスパウト１１と係合可能なドーナッツ板状のフランジ４３を設けた筒状体４１’を示したものである。かかる構成を採用した場合には、スパウト１１の注出孔１８に筒状体４１’を挿入して、ポンプディスペンサー３１のキャップ３７をスパウト１１の注出部１４に被覆させて螺合させるだけで（筒状体４１’の基端部をスパウト１１の注出孔１８より大径にする等の構成を採用しなくても、すなわち、筒状体４１’の全体の外径をスパウト１１の注出孔１８の内径以下にして筒状体４１’の下側の部分を注出孔１８に挿入し易くした場合等においても）、筒状体４１’が袋本体の内部へ抜け落ちてしまう事態を生じさせない、というメリットがある。
【００８９】
また、本発明の係る液体収納袋は、上記実施形態の如く、袋本体に内容物を充填させて起立させたときに、ポンプディスペンサーの吸引パイプの先端が、袋本体の底面際まで至るように（略直線状に）構成するとともに、筒状体が、その吸引パイプの全部を覆うように構成したものに限定されず、袋本体に内容物を充填させて起立させたときに、ポンプディスペンサーの吸引パイプの先端部分が、袋本体の底面の上で（底面に沿って）屈曲するように構成する（吸引パイプを上記実施形態のものよりも長く形成する）とともに、筒状体が、その吸引パイプの全部あるいは一部を覆うように構成したもの等に変更することも可能である。なお、筒状体を、袋本体の底面の上で屈曲する吸引パイプの全部を覆うように構成する場合には、筒状体の下端際の部分を円弧状やＬ字状に折れ曲がった形状にする必要がある。
【００９０】
一方、スパウトは、上記実施形態の如く、注出孔が単純な円柱状であるものに限定されず、注出孔に挿通させた筒状体の基端を係合させるための周状溝や段差等の被係合部を注出孔の内部に設けたもの等に変更することも可能である。
【産業上の利用可能性】
【００９１】
本発明の液体収納袋は、上記の如く優れた効果を奏するものであるから、シャンプー、ボディソープ、化粧品、洗剤等の各種の液体を収納するための袋（包装袋）として好適に用いることができる。
【符号の説明】
【００９２】
１ａ〜１ｊ・・袋本体
２ａ，２ｂ・・胴材
３，１９，２０・・折り込み部
１１，５１・・スパウト（注出部材）
３１・・ポンプディスペンサー
３４・・吸引パイプ
４１，４１’・・筒状体
４３・・フランジ（係合部）
Ｐ１〜Ｐ５・・液体収納袋
【図１】
2018020840.tif 000003
【図２】
2018020840.tif 000004
【図３】
2018020840.tif 000005
【図４】
2018020840.tif 000006
【図５】
2018020840.tif 000007
【図６】
2018020840.tif 000008
【図７】
2018020840.tif 000009
【図８】
2018020840.tif 000010
【図９】
2018020840.tif 000011
【図１０】
2018020840.tif 000012
【図１１】
2018020840.tif 000013
【図１２】
2018020840.tif 000014
【図１３】
2018020840.tif 000015
【図１４】
2018020840.tif 000016
【図１５】
2018020840.tif 000017
【図１６】
2018020840.tif 000018
【図１７】
2018020840.tif 000019
【図１８】
2018020840.tif 000020
【図１９】
2018020840.tif 000021
【図２０】
2018020840.tif 000022
【図２１】
2018020840.tif 000023
【図２２】
2018020840.tif 000024
【図２３】
2018020840.tif 000025
【図２４】
2018020840.tif 000026
【図２５】
2018020840.tif 000027
【図２６】
2018020840.tif 000028